(57)【要約】【課題】電源制御において、複数種類のアナログ制御信号の生成方法を使い分けて適切に電力を供給する技術を提供することを目的とする。【解決手段】本発明は、Ｌ個のチャンネルの電力を供給するパワー回路を制御する電源制御装置の製造方法を提供する。この製造方法は、デジタル制御信号とパルス幅変調信号とを含む複数種類の制御信号を出力する制御回路と、Ｍ個のチャンネルを有するデジタルアナログ変換器と、パルス幅変調信号を復調してアナログ制御信号を生成するＮ個の復調回路と、を準備する準備工程と、パワー回路と接続されるためのデジタルアナログ変換器のＭ個のチャンネルと制御回路とを電気的に接続する第１の接続工程と、パワー回路と接続されるためのＮ個の復調回路と制御回路とを電気的に接続する第２の接続工程と、を備える。Ｎは、Ｍ以下の正の整数である。【選択図】図８
2010079281.tif 000002
【特許請求の範囲】
【請求項１】
Ｌ個のチャンネル（Ｌは正の整数）の電力を供給するパワー回路と、
デジタル制御信号とパルス幅変調信号とを含む複数種類の制御信号を出力する制御回路と、
前記デジタル制御信号をアナログ制御信号に変換するＭ個（ＭはＬより小さな正の整数）のチャンネルを有するデジタルアナログ変換器と、
前記パルス幅変調信号を復調してアナログ制御信号を生成するＮ個（Ｎは（Ｌ−Ｍ）個）の復調回路と、を備え、
前記制御回路は、前記デジタルアナログ変換器の前記Ｍ個のチャンネルと、前記Ｎ個の復調回路と、を介して前記パワー回路に電気的に接続されており、
前記Ｎは、前記Ｍ以下の正の整数である電源装置。
【請求項２】
請求項１記載の電源装置であって、
前記Ｌ個のチャンネルの電力は、前記Ｌ個のチャンネルの電力に対する電源要求仕様のうち応答時間とダイナミックレンジと電圧精度の少なくとも一つが比較的に緩いとして選択されたＰ個のチャンネル（Ｐは正の整数）の電力を含み、
前記Ｎは、前記Ｐ以下の正の整数である電源装置。
【請求項３】
請求項１または２に記載の電源装置であって、
前記デジタルアナログ変換器は、複数のデジタルアナログ変換回路を有するデジタルアナログ変換ＩＣを複数備え、
前記デジタルアナログ変換ＩＣは、いずれも相互に同一数の前記デジタルアナログ変換回路を有する電源装置。
【請求項４】
請求項１ないし３のいずれか一項に記載の電源装置であって、
前記パワー回路は、画像データに基づいて被記録媒体上に画像を形成する画像形成装置が備える複数の構成品に前記Ｌ個のチャンネルの電力を供給し、
前記複数の構成品は、電源要求仕様としての応答時間が相互に相違する構成品を少なくとも一つ含み、  前記応答時間の相違に応じて前記応答時間の長い構成品から順に優先的に前記復調回路を使用する制御のために前記Ｌ個の電力のチャンネルが割り当てられる電源装置。
【請求項５】
請求項４記載の電源装置であって、
前記複数の構成品は、前記被記録媒体に付着した粉体を静電気力によって吸着する粉体吸着ローラを帯電させる粉体吸着ローラ帯電回路を含み、
前記パワー回路から前記粉体吸着ローラ帯電回路に供給される電力は、前記復調回路を使用して制御される電源装置。
【請求項６】
請求項４または５に記載の電源装置であって、
前記パワー回路は、第１の電圧を発生させる第１のパワー回路と、前記第１の電圧に基づいて第２の電圧を生成する第２のパワー回路と、を含む複数のパワー回路を備え、
前記第２のパワー回路は、前記復調回路を使用して制御される電源装置。
【請求項７】
請求項４ないし６のいずれか一項に記載の電源装置であって、
前記複数の構成品は、前記複数の構成品の中で他のいずれの構成品とも電気的に相違する構成を有する特定の構成品を含み、
前記パワー回路から前記特定の構成品に供給される電力は、前記復調回路を使用して制御される電源装置。
【請求項８】
請求項４ないし７のいずれか一項に記載の電源装置であって、
前記複数の構成品は、電気的にほぼ同一の構成を有する複数の帯電回路を含み、
前記パワー回路から前記複数の帯電回路に供給される電力の全チャンネルは、前記デジタルアナログ変換器と前記復調回路のいずれか一方のみを使用して制御される電源装置。
【請求項９】
Ｌ個のチャンネル（Ｌは正の整数）の電力を供給するパワー回路を制御する電源制御装置であって、
デジタル制御信号とパルス幅変調信号とを含む複数種類の制御信号を出力する制御信号発生回路と、
前記デジタル制御信号をアナログ制御信号に変換するＭ個（ＭはＬより小さな正の整数）のチャンネルを有するデジタルアナログ変換器と、
前記パルス幅変調信号を復調してアナログ制御信号を生成するＮ個（Ｎは（Ｌ−Ｍ）個）の復調回路と、
を備え、
前記パワー回路と接続されるための前記デジタルアナログ変換器の前記Ｍ個のチャンネルと、前記パワー回路と接続されるための前記Ｎ個の復調回路とは、いずれも前記制御信号発生回路に電気的に接続されており、
前記Ｎは、前記Ｍ以下の正の整数である電源制御装置。
【請求項１０】
Ｌ個のチャンネル（Ｌは正の整数）の電力を供給するパワー回路を備える電源装置の製造方法であって、
デジタル制御信号とパルス幅変調信号とを含む複数種類の制御信号を出力する制御回路と、前記デジタル制御信号をアナログ制御信号に変換するＭ個（ＭはＬより小さな正の整数）のチャンネルを有するデジタルアナログ変換器と、前記パルス幅変調信号を復調してアナログ制御信号を生成するＮ個（Ｎは（Ｌ−Ｍ）個）の復調回路と、を準備する準備工程と、
前記パワー回路と接続されるための前記デジタルアナログ変換器の前記Ｍ個のチャンネルと、前記制御回路基板とを電気的に接続する第１の接続工程と、
前記パワー回路と接続されるための前記Ｎ個の復調回路と、前記制御基板とを電気的に接続する第２の接続工程と、
を備え、
前記Ｎは、前記Ｍ以下の正の整数である製造方法。
【発明の詳細な説明】
【技術分野】
【０００１】
本発明は、高圧電源装置に関する。
【背景技術】
【０００２】
画像形成装置は、感光、現像、転写、および定着等の各工程において相互に相違する電圧の電力を使用する。このような多様な電力は、アナログ制御信号に応じて制御されたアナログ出力として安定的に各工程に供給される。アナログ制御信号は、ＣＰＵを有する制御回路から供給されるデジタル制御信号に基づいてパルス幅変調方式やデジタルアナログコンバータを使用して生成することができる。
【０００３】
しかしながら、このような複数種類のアナログ制御信号の生成方法を使い分けて複数の電力を制御する方法については十分に検討されていなかった。このような問題は、画像形成装置に限られず、複数の電力供給を制御する電力制御に共通する一般的な課題であった。
【先行技術文献】
【特許文献】
【０００４】
【特許文献１】特開２００５−１０４５０公報
【発明の概要】
【発明が解決しようとする課題】
【０００５】
本発明は上述のような事情に基づいて完成されたものであって、電源制御において、複数種類のアナログ制御信号の生成方法を使い分けて適切に電力を供給する技術を提供することを目的とする。
【課題を解決するための手段】
【０００６】
[適用例１]
Ｌ個のチャンネル（Ｌは正の整数）の電力を供給するパワー回路と、
デジタル制御信号とパルス幅変調信号とを含む複数種類の制御信号を出力する制御回路と、
前記デジタル制御信号をアナログ制御信号に変換するＭ個（ＭはＬより小さな正の整数）のチャンネルを有するデジタルアナログ変換器と、
前記パルス幅変調信号を復調してアナログ制御信号を生成するＮ個（Ｎは（Ｌ−Ｍ）個）の復調回路と、を備え、
前記制御回路は、前記デジタルアナログ変換器の前記Ｍ個のチャンネルと、前記Ｎ個の復調回路と、を介して前記パワー回路に電気的に接続されており、
前記Ｎは、前記Ｍ以下の正の整数である電源装置。
【０００７】
適用例１の電源装置では、アナログ制御信号の生成において、デジタルアナログ変換器の全チャンネルを使用する一方、パルス幅変調信号を復調する復調回路の個数をデジタルアナログ変換器のチャンネル数以下に制限するように、制御回路とパワー回路とがデジタルアナログ変換器と復調回路とを介して接続されるので、デジタルアナログ変換器や復調回路を有効に活用した電源装置を提供することができる。加えて、デジタルアナログ変換器のチャンネル数が復調回路の数以上となるので、電源装置の応答特性を全体として高めるとともに、多チャンネル化が容易なデジタルアナログ変換器の特性を利用して復調回路の数を削減し、全体としての回路規模を小さくすることができるという顕著な効果を奏す
ることができる。さらに、パルス幅変調信号の伝達に起因する電磁波の発生を抑制して電磁干渉の発生を低減させることもできる。
【０００８】
[適用例２]
適用例１の電源装置であって、
前記Ｌ個のチャンネルの電力は、前記Ｌ個のチャンネルの電力に対する電源要求仕様のうち応答時間とダイナミックレンジと電圧精度の少なくとも一つが比較的に緩いとして選択されたＰ個のチャンネル（Ｐは正の整数）の電力を含み、
前記Ｎは、前記Ｐ以下の正の整数である電源装置。
【０００９】
適用例２の電源装置では、Ｌ個のチャンネルの電力に対する電源要求仕様のうち応答時間とダイナミックレンジと電圧精度の少なくとも一つが比較的に緩いとして選択されたＰ個のチャンネル数が復調回路を使用する制御数の上限に設定されるので、デジタルアナログ変換器と復調回路の性能差が顕著な特性に着目して両者の使い分けを実現することができる。ここで、「緩い」とは、応答時間については長いこと、ダイナミックレンジについては狭いこと、電圧精度については低精度を意味する。なお、Ｐは、デジタルアナログ変換器の有するチャンネル数であるＭ以下となるのが望ましい。
【００１０】
[適用例３]
適用例１または適用例２の電源装置であって、
前記デジタルアナログ変換器は、複数のデジタルアナログ変換回路を有するデジタルアナログ変換ＩＣを複数備え、
前記デジタルアナログ変換ＩＣは、いずれも相互に同一数の前記デジタルアナログ変換回路を有する電源装置。
【００１１】
適用例３の電源装置では、相互に同一数のデジタルアナログ変換回路を有する複数のデジタルアナログ変換ＩＣが使用されるので、複数のデジタルアナログ変換ＩＣの制御ロジックを共通化することによって制御の信頼性を高めることができる。
【００１２】
[適用例４]
適用例１ないし適用例３のいずれかの電源装置であって、
前記パワー回路は、画像データに基づいて被記録媒体上に画像を形成する画像形成装置が備える複数の構成品に前記Ｌ個のチャンネルの電力を供給し、
前記複数の構成品は、電源要求仕様としての応答時間が相互に相違する構成品を少なくとも一つ含み、
前記応答時間の相違に応じて前記応答時間の長い構成品から順に優先的に前記復調回路を使用する制御のために前記Ｌ個の電力のチャンネルが割り当てられる電源装置。
【００１３】
適用例４の電源装置では、応答時間の長いものから順に優先的に復調回路を使用するパルス幅変調信号による制御が適用されるので、電源装置の制御性能の劣化を抑制することができる。
【００１４】
[適用例５]
適用例４の電源装置であって、
前記複数の構成品は、前記被記録媒体に付着した粉体を静電気力によって吸着する粉体吸着ローラを帯電させる粉体吸着ローラ帯電回路を含み、
前記パワー回路から前記粉体吸着ローラ帯電回路に供給される電力は、前記復調回路を使用して制御される電源装置。
【００１５】
適用例５の電源装置では、画像形成装置の構成品の中で応答時間に対する要求レベルが
低い粉体吸着ローラ帯電回路（クリーニング機構の一部）に対して復調回路が復調回路と接続されるので、電源装置の制御性能を実質的に落とすことなくパルス幅変調信号による制御を有効利用することができる。
【００１６】
[適用例６]
適用例４または適用例５の電源装置であって、
前記パワー回路は、第１の電圧を発生させる第１のパワー回路と、前記第１の電圧に基づいて第２の電圧を生成する第２のパワー回路と、を含む複数のパワー回路を備え、
前記第２のパワー回路は、前記復調回路を使用して制御される電源装置。
【００１７】
適用例６の電源装置では、たとえばシャント回路のように他の電源に基づいて電力を発生させる電力の制御にパルス幅変調信号による制御が適用されるので、このような電力を高い応答性を要求されない電力であると擬制することによって簡易にパルス幅変調信号による制御の適用を決定することができる。
このような擬制は、このような他の電源に基づいて発生させる電力は、高い応答性が要求される電源には使用されないという特質に基づくものである。このような特質は、このような他の電源の過渡応答の影響で高い応答性を実現することが困難であるということによるものである。
【００１８】
[適用例７]
適用例４ないし適用例６のいずれかの電源装置であって、
前記複数の構成品は、前記複数の構成品の中で他のいずれの構成品とも電気的に相違する構成を有する特定の構成品を含み、
前記パワー回路から前記特定の構成品に供給される電力は、前記復調回路を使用して制御される電源装置。
【００１９】
適用例７の電源装置では、複数の構成品の中で他のいずれの構成品とも電気的に相違する構成を有する単独構成品が、１個単位で自由に個数が設定できる復調回路と接続されるので、電源装置において構成の自由度を顕著に高めることができる。
【００２０】
[適用例８]
適用例４ないし適用例７のいずれかの電源装置であって、
前記複数の構成品は、電気的にほぼ同一の構成を有する複数の帯電回路を含み、
前記パワー回路から前記複数の帯電回路に供給される電力の全チャンネルは、前記デジタルアナログ変換器と前記復調回路のいずれか一方のみを使用して制御される電源装置。
【００２１】
適用例８の電源装置では、電気的にほぼ同一の構成を有する複数の同種構成品の全てが、デジタルアナログ変換器あるいは復調回路のいずれか一方のみを使用して制御されるので、複数の同種構成品の制御方法を共通化して構成を簡素化することができるとともに、信頼性をも高めることができる。
【００２２】
なお、本発明は、上記以外の種々の形態で実現可能であり、たとえば電源装置が有する電源制御装置や電源装置の製造方法、この電源装置を備える画像形成装置、さらには、画像形成装置設計支援エキスパートシステム、このエキスパートシステムを実現するプログラムやプログラム製品などの種々の形態で実現することが可能である。
【発明の効果】
【００２３】
本発明によれば、電源制御において、複数種類のアナログ制御信号の生成方法を使い分けて適切に電力を供給することができる。
【図面の簡単な説明】
【００２４】
【図１】本発明の実施例におけるプリンタの内部構成を表す概略断面図。
【図２】本発明の実施例における画像形成部の構成を示す拡大図。
【図３】ベルトクリーニング機構とドラムクリーニング機構の各構成を示す拡大図。
【図４】比較例における電源装置の構成を示す説明図。
【図５】比較例におけるクリーニング系パワー回路群の構成を示す説明図。
【図６】第１実施例の電源装置の構成を示す説明図。
【図７】第１実施例の電源装置の製造方法を示すフローチャート。
【図８】第１実施例の電源装置の設計工程を示すフローチャート。
【図９】第２実施例の電源装置の構成を示す説明図。
【発明を実施するための形態】
【００２５】
次に、本発明の実施の形態を実施例に基づいて以下の順序で説明する。
Ａ．本発明の実施例における画像形成装置の概略構成：
Ｂ．本発明の実施例における各色の画像形成部の構成：
Ｃ．本発明の実施例におけるクリーニング機構の構成：
Ｄ．比較例における電源装置の構成：
Ｅ．第１実施例における電源装置の構成：
Ｆ．第２実施例における電源装置の構成：
Ｇ．変形例：
【００２６】
Ａ．本発明の実施例における画像形成装置の概略構成：
図１は、本発明の実施例におけるプリンタ１（特許請求の範囲に記載の「画像形成装置」の一例）の内部構成を表す概略断面図である。プリンタ１は、本実施例では、レーザや発光ダイオードの光を感光に利用し、Ｃ（シアン）、Ｍ（マゼンタ）、Ｙ（イエロー）、およびＫ（ブラック）のトナーで画像を形成する電子写真方式のプリンタである。
【００２７】
プリンタ１は、給紙部１１０と、各色の画像形成部１２０Ｃ、１２０Ｍ、１２０Ｙ、１２０Ｋと、搬送機構１３０と、定着部１４０と、ベルトクリーニング機構１５０と、高圧電源装置２００と、を備える。高圧電源装置２００は、各色の画像形成部１２０Ｃ、１２０Ｍ、１２０Ｙ、１２０Ｋや搬送機構１３０が有する複数の構成部品（後述）に種々の電圧の電力を供給する。高圧電源装置２００の内部構成については後述する。
【００２８】
給紙部１１０は、印刷用紙やＯＨＰシートといったシート材１１１を収容するトレイ１１２と、シート材１１１を１枚ずつ取り出すピックアップローラ１１３と、搬送機構１３０にシート材１１１を供給する給紙機構１１４とを備える。
【００２９】
搬送機構１３０は、各色の画像形成部１２０Ｋ、１２０Ｙ、１２０Ｍ、１２０Ｃに順にシート材１１１を搬送する機構である。搬送機構１３０は、駆動ローラ１３１および従動ローラ１３２と、その間に架け渡されたベルト１３３と、を備えている。
【００３０】
Ｂ．本発明の実施例における各色の画像形成部の構成：
図２は、本発明の実施例における画像形成部１２０Ｋの構成を示す拡大図である。画像形成部１２０Ｋは、回収ローラ１２８が追加的に装備されている点を除いて、各色の画像形成部１２０Ｃ、１２０Ｍ、１２０Ｙとほぼ同一の構成を有するので、説明を分かりやすくするために画像形成部１２０Ｋを例にとって説明する。
【００３１】
画像形成部１２０Ｋは、電子写真プロセスを行うために、感光ドラム１２１Ｋと、帯電器１２２Ｋと、露光装置１２３Ｋと、現像ローラ１２４Ｋと、トナーケース１２５Ｋと、転写ローラ１２６Ｋと、を備えている。画像形成部１２０Ｋは、さらに、紙粉やトナーの
除去のためにドラムクリーニングローラ１２７Ｋと、回収ローラ１２８と、を備えている。
【００３２】
帯電器１２２Ｋは、感光ドラム１２１Ｋに対して帯電プロセスを実行するための構成部品である。帯電プロセスは、帯電器１２２Ｋが感光ドラム１２１Ｋの表面を正極性（たとえば＋７００Ｖ）に帯電させることによって行われる。感光ドラム１２１Ｋは、プリンタ１のグランドライン（基準電位）に筐体接地（図示せず）されている。
【００３３】
露光装置１２３Ｋは、感光ドラム１２１Ｋに対して露光プロセスを実行するための構成部品である。露光プロセスとは、複数の発光素子（たとえばレーザや発光ダイオード）の光によって感光ドラム１２１Ｋの表面電荷を減殺して静電潜像を形成する構成品である。静電潜像の形成は、外部より入力された１色分（Ｋ（ブラック））の画像データに応じて発光素子の光量を制御することによって行われる。このプロセスによって感光ドラム１２１Ｋの表面に静電潜像が形成される。
【００３４】
現像ローラ１２４Ｋは、感光ドラム１２１Ｋに対して現像プロセスを実行するための構成部品である。現像プロセスは、感光ドラム１２１Ｋの表面上にトナー象を形成するプロセスである。トナー像の形成は、現像ローラ１２４Ｋがブラックのトナーを「＋」（正極性）に帯電させ、ほぼ均一な薄層として感光ドラム１２１Ｋ上に供給することによって行われる。
【００３５】
転写ローラ１２６Ｋは、転写プロセスを実行するための構成部品である。転写プロセスとは、感光ドラム１２１Ｋの表面上に形成されたトナー像をベルト１３３上のシート材１１１に転写するプロセスである。トナー像の転写は、転写ローラ１２６Ｋに対して、感光ドラム１２１Ｋとの間にブラックのトナーの帯電極性（正極性）とは逆極性（負極性）の転写電圧を印加することによって行われる。
【００３６】
このような各プロセスを経て、Ｋ（ブラック）のトナーについて転写プロセスが完了すると、シート材１１１に対して、Ｙ（イエロー）、Ｍ（マゼンタ）、およびＣ（シアン）のトナーについても同様に転写プロセスが実行される。転写プロセスがＫ（ブラック）、Ｙ（イエロー）、Ｍ（マゼンタ）、およびＣ（シアン）の全てのトナーについて完了すると、シート材１１１は、定着プロセスを実行するために定着部１４０（図１）へと搬送される。
【００３７】
定着部１４０は、定着プロセスとしてトナー像をシート材１１１上に熱定着する。このようにして、熱定着が完了すると、シート材１１１は、プリンタ１の上面に排出されて印刷が完了する。
【００３８】
Ｃ．本発明の実施例におけるベルトクリーニング機構の構成：
図３は、本発明の実施例におけるベルトクリーニング機構とドラムクリーニング機構の各構成を示す拡大図である。図３には、画像形成部１２０Ｋに装備されたドラムクリーニングローラ１２７Ｋおよび回収ローラ１２８と、ベルトクリーニング機構１５０と、が示されている。他の画像形成部１２０Ｍ、１２０Ｃ、１２０Ｙには、３個のドラムクリーニングローラ１２７Ｍ、１２７Ｃ、１２７Ｙのそれぞれが装備されているが、回収ローラ１２８やベルトクリーニング機構１５０に相当する構成品は装備されていない。
【００３９】
ベルトクリーニング機構１５０は、ベルト１３３上の付着物（トナー）を静電気力で吸引して除去するクリーニング機構である。ベルトクリーニング機構１５０は、ベルト１３３から付着物を除去するベルトクリーニングローラ１５１と、除去された付着物をベルトクリーニングローラ１５１から回収する回収ローラ１５２と、回収された付着物を回収ロ
ーラ１５２からかきとって貯留するための貯留ボックス１５３と、バックアップローラ１５４と、を備える。
【００４０】
ベルトクリーニングローラ１５１は、たとえば表面に発泡材が設けられたローラとして構成され、ベルト１３３に接触しつつベルト１３３とは反対方向に摺動するように回転駆動される。ベルトクリーニングローラ１５１には、付着物の極性（正極性）とは逆極性（負極性）の電位（たとえば基準電位に対して−１２００Ｖ）が印加されているので、ベルト１３３に付着した付着物をベルトクリーニングローラ１５１に静電気力で吸引して除去することができる。
【００４１】
回収ローラ１５２は、たとえば金属製であって、ベルトクリーニングローラ１５１に接触するように装備されている。回収ローラ１５２には、ベルトクリーニングローラ１５１よりも付着物との電位差が大きな電位（たとえば基準電位に対して−１６００Ｖ）が印加されているので、ベルトクリーニングローラ１５１に吸引された付着物を回収することができる。
【００４２】
このように、ベルトクリーニングローラ１５１と回収ローラ１５２とには、相互に相違する段階的な電位が印加されることになる。
【００４３】
一方、本実施例のドラムクリーニング機構１２７Ｋ、１２８は、感光ドラム１２１Ｋ上の付着物（トナーや紙粉）を静電気力で吸引して除去するクリーニング機構である。ドラムクリーニング機構１２７Ｋ、１２８は、ベルトクリーニング機構１５０と同様の構成を有し、ドラムクリーニングローラ１２７Ｋと、回収ローラ１２８と、貯留ボックス（図示せず）と、を備える。
【００４４】
ドラムクリーニング機構１２７Ｋ、１２８は、正極性を有するトナーと、負極性を有する紙粉と、を除去するための２つの作動モードを有している。２つの作動モードは、印刷時に実行されるトナー除去モードと、印刷ジョブ終了後や所定枚数印刷後において実行される紙粉除去モードとから構成されている。
【００４５】
トナー除去モードは、正極性を有するトナーを感光ドラム１２１Ｋから除去するための作動モードである。この作動モードでは、正極性を有するトナーを感光ドラム１２１Ｋから除去するために、ドラムクリーニングローラ１２７Ｋには、トナーの極性（正極性）とは逆極性（負極性）の電位（たとえば基準電位に対して−４００Ｖ）が印加される。このとき、回収ローラ１２８には、ドラムクリーニングローラ１２７Ｋに印加される電位よりも高い電位（たとえば基準電位に対して−３００Ｖ）が印加される。このため、ドラムクリーニングローラ１２７Ｋにより感光ドラム１２１Ｋから除去された正極性のトナーは、回収ローラ１２８には回収されず、ドラムクリーニングローラ１２７Ｋに保持されることになる。
【００４６】
紙粉除去モードは、負極性を有する紙粉を感光ドラム１２１Ｋから除去するための作動モードである。この作動モードでは、ドラムクリーニングローラ１２７Ｋには、紙粉の極性（負極性）とは逆極性（正極性）の電位（たとえば基準電位に対して６００Ｖ）が印加される。回収ローラ１２８には、ドラムクリーニングローラ１２７Ｋよりも紙粉との電位差が大きな電位（たとえば基準電位に対して７００Ｖ）が印加されているので、ドラムクリーニングローラ１２７Ｋに吸引された紙粉を回収することができる。
【００４７】
紙粉除去モードでは、正極性を有するトナーは、ドラムクリーニングローラ１２７Ｋからトナーを感光ドラム１２１Ｋに戻され、ベルト１３３を介してベルトクリーニング機構１５０に回収されることになる。
【００４８】
このように、ドラムクリーニングローラ１２７Ｋと回収ローラ１２８とには、紙粉除去モードにおいては、相互に相違する段階的な正の電位が印加されることが要請される一方、トナー除去モードにおいては、相互に相違する段階的な負の電位が印加されることが要請されることになる。
【００４９】
Ｄ．比較例における電源装置の構成：
図４は、比較例における高圧電源装置２００ｃｏｍの構成を示す説明図である。高圧電源装置２００ｃｏｍは、上述の各プロセスやクリーニングのために電力を供給するための電力を発生させるパワー回路２２０と、パワー回路２２０を制御する制御回路２１０ｃｏｍとを備えている。
【００５０】
パワー回路２２０は、電子写真プロセス系パワー回路群２２１と、クリーニング系パワー回路群２２２と、を備えている。電子写真プロセス系パワー回路群２２１は、帯電プロセスや現像プロセス、転写プロセスといった電子写真プロセスに使用される高電位を発生させるためのパワー回路の集合体である。クリーニング系パワー回路群２２２は、ドラムクリーニングローラ１２７Ｋや回収ローラ１２８、ベルトクリーニング機構１５０といったクリーニング系の処理に使用される高電位を発生させるためのパワー回路の集合体である。
【００５１】
電子写真プロセス系パワー回路群２２１は、帯電パワー回路２２１Ｃと、現像パワー回路２２１Ｄと、転写パワー回路２２１Ｔとを、各４個ずつ備えている。４個の帯電パワー回路２２１Ｃの各々は、４個の帯電器１２２Ｃ、１２２Ｍ、１２２Ｙ、１２２Ｋの各々に電力を供給する。４個の現像パワー回路２２１Ｄの各々は、４個の現像ローラ１２４Ｃ、１２４Ｍ、１２４Ｙ、１２４Ｋの各々に電力を供給する。４個の転写パワー回路２２１Ｔの各々は、４個の転写ローラ１２６Ｃ、１２６Ｍ、１２６Ｙ、１２６Ｋの各々に電力を供給する。
【００５２】
図５は、比較例におけるクリーニング系パワー回路群２２２の構成を示す説明図である。クリーニング系パワー回路群２２２は、ベルト系パワー回路２２２Ｂとドラム系パワー回路２２２Ｄとを備えている。ベルト系パワー回路２２２Ｂは、回収ローラ１５２に電力を供給する付着物除去用帯電パワー回路２２２Ｂ１と、ベルトクリーニングローラ１５１に電力を供給するシャント回路２２２Ｂｓと、を備える。なお、感光ドラム１２１Ｋおよびバックアップローラ１５４は、筐体接地されている。
【００５３】
ベルトクリーニングローラ１５１への電力供給にシャント回路２２２Ｂｓを使用している理由は、シャント回路２２２Ｂｓによって中間的な電位としてのベルトクリーニングローラ１５１に印加する電位を発生させるためである。ベルトクリーニングローラ１５１に中間的な電位を印加しているのは、ベルト１３３に付着した付着物を回収するために、そして、ベルトクリーニングローラ１５１を介して回収ローラ１５２に搬送するために、段階的な電位とすることが要求されているからである。
【００５４】
一方、シャント回路２２２Ｂｓは、高い精度や応答性、ダイナミックレンジといった電源要求仕様について高い性能を求めることは困難であるという性質を有している。しかしながら、ベルトクリーニングローラ１５１の電位は、付着物除去を目的として供給されるものなので、このような電源要求仕様に関して高いレベルを要求されるものではなく、上述のように中間的な電位の発生に適するとともに簡易に構成できるという利点を有している。
【００５５】
ドラム系パワー回路２２２Ｄは、紙粉除去モードにおいて、紙粉除去用電力を回収ロー
ラ１２８に供給する紙粉除去用帯電パワー回路２２２Ｄ２と、紙粉除去用電力をドラムクリーニングローラ１２７Ｋに供給するシャント回路２２２Ｄｓとを備えている。これらの回路は、ベルト系パワー回路２２２Ｂと基本的に同一の思想で構成されている。
【００５６】
ただし、ドラム系パワー回路２２２Ｄは、さらにトナー除去用電力を回収ローラ１２８に供給するトナー除去用帯電パワー回路２２２Ｄ１をトナー除去モード用に備えている。トナー除去用帯電パワー回路２２２Ｄ１は、切替スイッチ２２２ｓｗを介して紙粉除去用帯電パワー回路２２２Ｄ２と切替可能に接続されている。シャント回路２２２Ｄｓは、ドラムクリーニングローラ１２７Ｃ、１２７Ｍ、１２７Ｙにも並列接続によってトナー除去用電力を供給する。
【００５７】
なお、紙粉除去用帯電パワー回路２２２Ｄ２およびトナー除去用帯電パワー回路２２２Ｄ１は、回路設計を簡素化するために正負のみ相違する同一の構成を有する回路として構成されている。
【００５８】
一方、比較例の制御回路２１０ｃｏｍ（図４）は、制御対象としての上述の各回路を適切に制御するために以下の構成を有している。すなわち、制御回路２１０ｃｏｍは、制御信号発生回路２１１と、デジタルアナログコンバータ２１２ｃｏｍ（Ｄ／Ａコンバータとも表記される。）と、アナログデジタルコンバータ２１３（Ａ／Ｄコンバータとも表記される。）と、を備える。
【００５９】
なお、図４は、機能ブロック図として表現されており、実装状態を示すものではない。実装においては、特にデジタルアナログコンバータ２１２ｃｏｍは、アナログ信号へのノイズの混入防止の観点からは、パワー回路２２０と同一の基板（図示せず）に実装することが好ましい。
【００６０】
制御信号発生回路２１１は、ＣＰＵ（図示せず）を有する制御回路として構成されている。制御信号発生回路２１１は、予め設定された制御則に基づき、デジタルフィードバック信号（デジタルＦＢ信号とも表記される。）に応じてデジタル制御信号を出力する。デジタルフィードバック信号は、アナログデジタルコンバータ２１３によってパワー回路２２０から供給されるアナログフィードバック信号（アナログＦＢ信号とも表記される。）をＡＤ変換することによって生成される。一方、デジタル制御信号は、デジタルアナログコンバータ２１２ｃｏｍによって１７チャンネルのアナログ制御信号にＤＡ変換された後にパワー回路２２０に供給される。
【００６１】
デジタルアナログコンバータ２１２ｃｏｍは、８個のデジタルアナログ変換回路から構成される８チャンネルのデジタルアナログコンバータチップ２１２ｃ１を３個備えることによって、２４チャンネルのデジタルアナログ変換を実行することができる。デジタルアナログコンバータ２１２ｃｏｍは、合計１７チャンネルのアナログ制御信号を出力する。１７チャンネルのアナログ制御信号は、電子写真プロセス系パワー回路群２２１を制御するための１２チャンネルのアナログ制御信号と、クリーニング系パワー回路群２２２を制御するための５チャンネルのアナログ制御信号とから構成されている。
【００６２】
このように、デジタルアナログコンバータ２１２ｃｏｍは、２４チャンネルのデジタルアナログ変換を実行することができるにも拘わらず、１７チャンネルしか使用されていないので、７チャンネルが使用されず無駄となっている。しかしながら、８チャンネルのデジタルアナログコンバータチップ２１２ｃ１を１個削減すると、１チャンネル不足することになる。
【００６３】
このような問題は、多チャンネルを有するデジタルアナログコンバータの使用において
効率的な回路資源の利用を阻害するものであった。本願発明は、このような問題を解決するために創作され、たとえば以下のような実施形態として本願発明者によって具現化された。
【００６４】
Ｅ．第１実施例における電源装置の構成：
図６は、本発明における第１実施例の高圧電源装置２００の構成を示す説明図である。第１実施例の高圧電源装置２００は、デジタルアナログコンバータ２１２ｃｏｍ（図４）がデジタルアナログコンバータ２１２（特許請求の範囲に記載の「デジタルアナログ変換器」の一例）および復調回路２１４（特許請求の範囲に記載の「復調回路」の一例）とに置き換えられている点で比較例の高圧電源装置２００ｃｏｍと相違する。
【００６５】
実施例のデジタルアナログコンバータ２１２（特許請求の範囲に記載の「デジタルアナログ変換器」の一例）は、３個のデジタルアナログコンバータチップ２１２ｃ１を備える比較例のデジタルアナログコンバータ２１２ｃｏｍからデジタルアナログコンバータチップ２１２ｃ１を１個削減して、チャンネル数が２４チャンネルから１６チャンネルに削減されている。このチャンネル数の削減によって不足する１チャンネルは、復調回路２１４によって処理されることになる。
【００６６】
復調回路２１４は、制御信号発生回路２１１から出力されるパルス幅変調信号を平滑化するローパスフィルタとして構成されている。制御信号発生回路２１１は、本実施例では、比較例においてデジタル制御信号として出力されていた制御信号をパルス幅変調信号として出力するように処理内容が変更されている。このような構成によって、２個のデジタルアナログコンバータチップ２１２ｃ１（特許請求の範囲に記載の「デジタルアナログ変換ＩＣ」の一例）の全チャンネルを無駄なく使用することが実現されている。
【００６７】
パルス幅変調信号は、デジタル制御信号として電圧信号をパルス幅に変調することによって生成される信号である。この変調は、たとえばＰＷＭコンパレータ（図示せず）等の変調回路によって実行されるので、ＰＷＭコンパレータの応答遅れによって信号の遅れが発生する。さらに、復調回路２１４は、ローパスフィルタとして構成されているので、位相遅れのような時間遅れを生じさせる。このように、パルス幅変調信号の利用は、変調や復調といった処理によって応答遅れが生じるという問題を有している。
【００６８】
しかしながら、本願発明者は、パルス幅変調信号をクリーニング系パワー回路群２２２の回路の一つであるシャント回路２２２Ｂｓ（図５）に利用することによって比較例の高圧電源装置２００ｃｏｍから実質的に性能を低下させることなく高圧電源装置２００を構成している。性能が実質的に低下しないのは、クリーニング系パワー回路群２２２においては、パルス幅変調信号を使用しても電源要求仕様としての応答遅れに対する要求基準を満たすことが可能だからである。
【００６９】
このように、本実施例の高圧電源装置２００は、実質的に性能を低下させることなく、２個のデジタルアナログコンバータチップ２１２ｃ１の全チャンネルを無駄なく使用する高圧電源の制御を実現している。
【００７０】
図７は、第１実施例の高圧電源装置２００の製造方法を示すフローチャートである。ステップＳ１００では、技術者は、設計工程を実行する。設計工程は、デジタルアナログコンバータチップの選択を含む。
【００７１】
図８は、本発明における第１実施例における高圧電源装置２００の設計処理を示すフローチャートである。ステップＳ１１０では、技術者は、デジタルアナログコンバータチップ選択工程を実行する。デジタルアナログコンバータチップ選択工程とは、利用可能なデ
ジタルアナログコンバータチップを調査するとともに、そのうちの一つを選択する工程である。
【００７２】
ステップＳ１２０では、技術者は、不足チャンネル数算出工程を実行する。不足チャンネル数算出工程とは、要求されるチャンネル数を超えない範囲でデジタルアナログコンバータチップの最大数を設定し、最大数のデジタルアナログコンバータチップの総チャンネル数によって不足するチャンネル数を算出する処理である。
【００７３】
具体的には、たとえば前述のように要求されるチャンネル数が１７チャンネル（特許請求の範囲に記載の「Ｌ個のチャンネル」の一例）のときに、８チャンネルのデジタルアナログコンバータチップ２１２ｃ１が選択されたとすると、最大数は２個となる。２個のデジタルアナログコンバータチップの総チャンネル数は、１６チャンネル（特許請求の範囲に記載の「Ｍ個のチャンネル」の一例）なので、不足チャンネル数は１（特許請求の範囲に記載の「Ｎ個」の一例）チャンネル（＝１７チャンネル−１６チャンネル）となる。
【００７４】
ステップＳ１３０では、技術者は、利用可否判定を実行する。利用可否判定とは、デジタルアナログコンバータチップ選択工程（ステップＳ１１０）で選択されたデジタルアナログコンバータチップが利用可能な否かを判定する処理である。利用可否判定は、不足チャンネル数が予め設定された所定数（特許請求の範囲に記載の「Ｍ個のチャンネル」、「Ｐ個のチャンネル」の一例）以下か否かによって判定される。
【００７５】
所定数は、本実施例では、クリーニング系パワー回路群２２２が有する回路数である５に設定されている。これらの５個の回路は、本実施例では、前述のようにパルス幅変調信号を使用する制御系によっても電源要求仕様としての応答遅れに対する要求基準を満たすことが可能だからである。なお、所定数は、デジタルアナログコンバータ２１２の有する全チャンネル数である１６に設定されてもよい。
【００７６】
ステップＳ１４０では、技術者は、チャンネル割当工程を実行する。チャンネル割当工程は、クリーニング系パワー回路群２２２が有する５個の回路の中からパルス幅変調信号を使用するパワー回路を選択する工程と、１７チャンネルの各々を各パワー回路に割り当てる工程とを含む。パワー回路の選択は、たとえば５個の回路の中で最も応答性に対する要求基準が低い回路を選択することによって行われる。
【００７７】
応答性に対する要求基準が最も低い回路は、本実施例では、たとえば画質に直接影響を与えないベルトクリーニングに利用されるベルト系パワー回路２２２Ｂ（図５）の中からシャント回路２２２Ｂｓが選択されている。シャント回路２２２Ｂｓが選択されているのは、シャント回路は、他のパワー回路の電力を分圧して電力を発生させる回路なので、他のパワー回路の過渡応答の影響で応答特性が劣化するので応答性に対する要求仕様が特に低いとみなすことができるからである。
【００７８】
このようにして、チャンネル割当工程が完了すると、処理がステップＳ２００（図７）に進められる。
【００７９】
ステップＳ２００では、作業者は、デジタルアナログコンバータ接続工程（特許請求の範囲に記載の「第１の接続工程」の一例）を実行する。デジタルアナログコンバータ接続工程とは、設定されたチャンネル割当に基づいてデジタルアナログコンバータ２１２の各チャンネルを、電子写真プロセス系パワー回路群２２１の１２個の回路と、クリーニング系パワー回路群２２２の４個の回路に接続する工程である。
【００８０】
ステップＳ３００では、作業者は、復調回路接続工程（特許請求の範囲に記載の「第２
の接続工程」の一例）を実行する。復調回路接続工程とは、設定されたチャンネル割当に基づいて復調回路２１４をクリーニング系パワー回路群２２２の１個の回路（シャント回路２２２Ｂｓ）に接続する工程である。
【００８１】
このように、第１実施例の製造方法では、アナログ制御信号の生成において、デジタルアナログ変換器の全チャンネルを使用する一方、パルス幅変調信号を復調する復調回路の個数を予め設定された所定数以下に制限するように、制御回路とパワー回路とが接続されるので、デジタルアナログ変換器や復調回路を有効に活用して効率的に高い制御性能を備えた電源装置の製造を実現することができる。ここで、デジタルアナログ変換器の全チャンネル数が復調回路の数以上となるので、電源装置の応答特性を全体として高めるとともに、多チャンネル化が容易なデジタルアナログ変換器の特性を利用して復調回路の数を削減し、全体としての回路規模を小さくすることができるという顕著な効果を奏することができる。加えて、パルス幅変調信号の伝達に起因する電磁波の発生を抑制して電磁干渉の発生を低減させることもできる。また、全チャンネルの電力に対する電源要求仕様のうち応答時間とダイナミックレンジと電圧精度の少なくとも一つが比較的に緩いとして選択されたチャンネル数が復調回路を使用する制御数の上限に設定されるので、デジタルアナログ変換器と復調回路の性能差が顕著な特性に着目して両者の使い分けを実現することができる。なお、全チャンネルの電力に対する電源要求仕様のうち応答時間とダイナミックレンジと電圧精度の少なくとも一つが比較的に緩いとして選択されたチャンネル数が、デジタルアナログ変換器の全チャンネル数以下となるのが望ましい。
【００８２】
このような効率的な電源装置の設計指針は、発明者による以下の知見に基づいて創作されたものである。
（１）デジタルアナログ変換器を使用する制御は、応答性等の電源要求仕様の観点において復調回路を使用する制御よりも優れているとともに、復調回路を使用する制御に対して上位互換性をも有している。
（２）復調回路を使用する制御は、制御対象となる複数の電力のうち復調回路を使用する制御で十分に電源要求仕様を満たす電力に使用する限りにおいて、実質的に電源装置の性能劣化の要因とはならない。
【００８３】
発明者は、このような知見に基づいて復調回路を使用する制御の数に着目するとともに、この数を制限することによって、デジタルアナログ変換器および復調回路を有効に活用して高い制御性能を実現する簡易な製造方法を創作したのである。
【００８４】
具体的には、たとえば１９個の電力を供給するパワー回路の制御において、たとえば１８チャンネルを有するデジタルアナログ変換器や６チャンネルを有するデジタルアナログ変換器の３個使用といった構成が実現可能である。これらの構成では、復調回路の使用でも実質的な性能劣化が生じない５つの電力制御において、１つの電力制御に復調回路が使用され、４つの電力制御に上位互換性を有するデジタルアナログ変換器が使用されることになる。
【００８５】
このように、第１実施例の製造方法は、復調回路を使用可能な電力制御の数の上限を定めるだけで、デジタルアナログ変換器と復調回路の互換性を利用した設計自由度を利用して、簡易にデジタルアナログ変換器および復調回路を有効に活用して高い制御性能を有する電源装置の製造を実現することができるのである。
【００８６】
Ｆ．第２実施例における電源装置の構成：
図９は、第２実施例の高圧電源装置２００ａの構成を示す説明図である。第２実施例の高圧電源装置２００ａは、制御対象が第１実施例のパワー回路２２０から第２実施例のパワー回路２２０ａに変更されているとともに、制御回路２１０のデジタルアナログコンバ
ータ２１２と復調回路２１４とがそれぞれデジタルアナログコンバータ２１２ａと復調回路２１４ａとに置き換えられている点で第１実施例の高圧電源装置２００と相違する。
【００８７】
パワー回路２２０ａは、転写パワー回路２２１Ｔの回路数が４個から１個に削減されている点で第１実施例のパワー回路２２０と相違する。このような構成の変更は、たとえば４個の転写ローラ１２６Ｃ、１２６Ｍ、１２６Ｙ、１２６Ｋの負荷に対する電力を転写パワー回路２２１Ｔで十分に供給できる場合に可能である。
【００８８】
第２実施例は、このような制御対象の構成の変更に応じて、第１実施例の制御回路２１０を第２実施例の制御回路２１０ａの構成に変更するものである。このような構成の変更は、図８に示された設計工程（ステップＳ１００）を使用して、第１実施例と同様に実行することができる。
【００８９】
デジタルアナログコンバータチップ選択工程（ステップＳ１１０、図８）においては、１０チャンネル（特許請求の範囲に記載の「Ｍ個のチャンネル」の一例）のデジタルアナログコンバータチップ２１２ａが選択されている。このような選択は、電子写真プロセス系パワー回路群２２１に要求されるチャンネル数が３個削減されていることに伴って、デジタルアナログコンバータ２１２ａに要求されるチャンネル数が１７チャンネルから１４チャンネル（特許請求の範囲に記載の「Ｌ個のチャンネル」の一例）に削減されたことによるものである。
【００９０】
不足チャンネル数算出工程（ステップＳ１２０）においては、不足チャンネル数が４チャンネルと算出される。不足チャンネル数は、要求されるチャンネル数である１４チャンネルからデジタルアナログコンバータ２１２ａの１０チャンネルを減ずることによって算出されたものである。
【００９１】
利用可否判定（ステップＳ１３０）においては、利用可と判定されている。この判定は、不足チャンネル数である４チャンネルが前述のように予め設定された所定数である５チャンネルよりも少ないことによって判定されたものである。
【００９２】
チャンネル割当工程（ステップＳ１４０）においては、以下のような方法で４個（特許請求の範囲に記載の「Ｎ個」の一例）のパワー回路が選択されている。パルス幅変調信号で制御する回路として選択されたパワー回路は、ベルト系パワー回路２２２Ｂの２回路（図５）と、ドラム系パワー回路２２２Ｄが含む紙粉除去用帯電パワー回路２２２Ｄ２およびトナー除去用帯電パワー回路２２２Ｄ１とから構成される４個の回路である。一方、ドラム系パワー回路２２２Ｄのシャント回路２２２Ｄｓについては、デジタル制御信号で制御（つまり、デジタル制御信号に由来するアナログ制御信号で制御）する回路として選択されている。
【００９３】
なお、前述のように、紙粉除去用帯電パワー回路２２２Ｄ２およびトナー除去用帯電パワー回路２２２Ｄ１は、正負のみ相違する同一の構成を有する回路として構成されている。
【００９４】
このような割当は、本実施例では、以下のような判断基準で実行されている。第１に、たとえば画質に直接影響を与えないベルトクリーニングに利用されるベルト系パワー回路２２２Ｂ（図５）の２個の回路の全てがパルス幅変調信号で制御する回路として選択されている。
【００９５】
第２に、ドラム系パワー回路２２２Ｄが含む紙粉除去用帯電パワー回路２２２Ｄ２、トナー除去用帯電パワー回路２２２Ｄ１、およびシャント回路２２２Ｄｓの３回路から、紙
粉除去用帯電パワー回路２２２Ｄ２およびトナー除去用帯電パワー回路２２２Ｄ１の２回路が選択されている。この選択は、紙粉除去用帯電パワー回路２２２Ｄ２およびトナー除去用帯電パワー回路２２２Ｄ１の２回路が正負のみ相違するパワー回路であることを考慮し、制御方法の共通化を実現するためのものである。
【００９６】
制御方法の共通化は、２回路の動特性を共通化するので、クリーニング系パワー回路群２２２の設計を簡素化して信頼性を高めることができる。このように、チャンネル割当工程（ステップＳ１４０）は、回路構成の共通性をパワー回路の種類（シャント回路等）に優先して実行するようにしても良い。
【００９７】
このように、第２実施例では、制御対象となるパワー回路の構成変更に対して、デジタルアナログコンバータチップの選択からチャンネル割当までの設計作業を極めて簡易に実行することができる。
【００９８】
なお、チャンネル割当工程（ステップＳ１４０）は、このような方法に限らず、応答時間の相違に応じて応答時間の長いものから順に優先的に前記復調回路との接続に割り当てられるようにしてもよい。こうすれば、応答時間の長いものから順に優先的に復調回路を使用するパルス幅変調信号による制御が適用されるので、電源装置の制御性能（応答特性）の劣化を抑制することができる。
【００９９】
Ｇ．変形例：
以上、本発明のいくつかの実施形態について説明したが、本発明はこのような実施の形態になんら限定されるものではなく、その要旨を逸脱しない範囲内において種々なる態様での実施が可能である。特に、上記各実施例における構成要素中の独立請求項に記載された要素以外の要素は、付加的な要素なので適宜省略可能である。さらに、独立請求項に記載された要素についても、本願明細書に開示された範囲で独立請求項に記載されていない要素と適宜入れ替えが可能である。
【０１００】
さらに、上述の実施例において、上述の利点や効果の各々の全てが本願発明の必須の構成要件につながるものではなく、本願発明は、上述の利点や効果の各々を簡易に実現させる設計自由度を与えるものであって、少なくとも一つの利点あるいは効果を実現させるものであれば良い。
【０１０１】
Ｇ−１．第１変形例：上述の実施例では、画像形成装置が備える複数の負荷に供給する電源装置が例示されているが、これに限られず、本発明は、例えばサーバーの電源装置等、複数の電力を供給する電源装置に広く適用することができる。
【０１０２】
Ｇ−２．第２変形例：上述の実施例では、電子写真プロセスやクリーニングといった用途に基づいてグループ分けされ、クリーニングを目的とするパワー回路の数が「予め設定された所定数」に設定されているが、これに限られず、たとえば応答時間とダイナミックレンジと電圧精度の少なくとも一つが比較的に緩いとして選択されたパワー回路群の数を「予め設定された所定数」に設定するようにしても良い。ここで、「緩い」とは、応答時間については長いこと、ダイナミックレンジについては狭いこと、電圧精度については低精度を意味する。
【０１０３】
Ｇ−３．第３変形例：上述の実施例では、回路の用途（たとえば電子写真プロセスやクリーニング）や回路の種類（シャント回路等）、回路の同一性といった基準によって「予め設定された所定数」の設定やチャンネルの割当が行われているが、たとえば複数の構成品の中で他のいずれの構成品とも電気的に相違する構成を有する単独構成品であるか否かに基づいて復調回路を使用する制御へのチャンネルの割当を行うようにしても良い。
【０１０４】
こうすれば、複数の構成品の中で他のいずれの構成品とも電気的に相違する構成を有する単独構成品が、１個単位で自由に個数が設定できる復調回路と接続されるので、電源制御装置の製造において構成の自由度を顕著に高めることができるという利点がある。
【０１０５】
Ｇ−４．第４変形例：上述の実施例では、デジタルアナログコンバータが複数のデジタルアナログ変換回路を有するデジタルアナログコンバータチップを複数有する場合には、デジタルアナログコンバータチップいずれも相互に同一数のチャンネル、すなわち同一数のデジタルアナログ変換回路を有する構成とされているが、相互に相違する数のデジタルアナログ変換回路を有するデジタルアナログコンバータチップを使用するように構成しても良い。
【０１０６】
ただし、相互に同一数のデジタルアナログ変換回路を有する複数のデジタルアナログコンバータチップを使用すれば、複数のデジタルアナログコンバータチップの制御ロジックを共通化することによって制御の信頼性を高めることができるという利点を有している。
【符号の説明】
【０１０７】
１…プリンタ
１１０…給紙部
１１１…シート材
１１２…トレイ
１１３…ピックアップローラ
１１４…給紙機構
１２０Ｃ、１２０Ｍ、１２０Ｙ、１２０Ｋ…画像形成部
１２１Ｃ、１２１Ｍ、１２１Ｙ、１２１Ｋ…感光ドラム
１２２Ｃ、１２２Ｍ、１２２Ｙ、１２２Ｋ…帯電器
１２３Ｃ、１２３Ｍ、１２３Ｙ、１２３Ｋ…露光装置
１２４Ｃ、１２４Ｍ、１２４Ｙ、１２４Ｋ…現像ローラ
１２５Ｃ、１２５Ｍ、１２５Ｙ、１２５Ｋ…トナーケース
１２６Ｃ、１２６Ｍ、１２６Ｙ、１２６Ｋ…転写ローラ
１２７Ｃ、１２７Ｍ、１２７Ｙ、１２７Ｋ…ドラムクリーニングローラ
１２８…回収ローラ
１３０…搬送機構
１３１…駆動ローラ
１３２…従動ローラ
１３３…ベルト
１４０…定着部
１５０…ベルトクリーニング機構
１５１…ベルトクリーニングローラ
１５２…回収ローラ
１５３…貯留ボックス
１５４…バックアップローラ
２００、２００ａ、２００ｃｏｍ…高圧電源装置
２１０、２１０ａ、２１０ｃｏｍ…制御回路
２１１…制御信号発生回路
２１２、２１２ａ、２１２ｃｏｍ…デジタルアナログコンバータ
２１２ｃ…デジタルアナログコンバータチップ
２１３…アナログデジタルコンバータ
２１４、２１４ａ…復調回路
２２０、２２０ａ…パワー回路
２２１…電子写真プロセス系パワー回路群
２２１Ｃ…帯電パワー回路
２２１Ｄ…現像パワー回路
２２１Ｔ…転写パワー回路
２２２…クリーニング系パワー回路群
２２２Ｂ…ベルト系パワー回路
２２２Ｄ…ドラム系パワー回路
２２２Ｂ１…付着物除去用帯電パワー回路（ベルト系パワー回路用）
２２２Ｂｓ…シャント回路（ベルト系パワー回路用）
２２２Ｄｓ…シャント回路（ドラム系パワー回路用）
２２２ｓｗ…切替スイッチ
２２２Ｄ１…紙粉除去用帯電パワー回路（ドラム系パワー回路用）
２２２Ｄ２…トナー除去用帯電パワー回路（ドラム系パワー回路用）
【図１】
2010079281.tif 000003
【図２】
2010079281.tif 000004
【図３】
2010079281.tif 000005
【図４】
2010079281.tif 000006
【図５】
2010079281.tif 000007
【図６】
2010079281.tif 000008
【図７】
2010079281.tif 000009
【図８】
2010079281.tif 000010
【図９】
2010079281.tif 000011